(57)【要約】【課題】遊技部材で行われる遊技球の流下方向の変化を、遊技者が確実に把握できる遊技部材および当該遊技部材を備えた遊技機を提供する。【解決手段】飛込口８０に入球した遊技球５０は、第一流路６４によって切替部材１００に供給される。第一流路６４から供給された遊技球５０は、切替部材１００の先端部１０１に設けられたクルーン１０２の凹部１２１に進入し、凹部１２１の内部に設けられた凹面１２２に沿って旋回し、凹部１２１の底部に設けられた排出口１２３から外部に排出される。切替部材１００に遊技球５０が供給されていない場合、切替部材１００は弾性力によって第一位置に保持される。切替部材１００に遊技球５０が供給された場合、切替部材１００は弾性力に抗って、当該遊技球５０の荷重によって第二位置に変位する。【選択図】図６
2014161397.tif 000002
【特許請求の範囲】
【請求項１】
遊技機の遊技盤の前面に設けられた遊技領域を流下する遊技球の流下方向を変化させる遊技部材であって、
前後方向に延びる支軸に対して直交する方向に延び、当該支軸から離間する方向の端部である先端部を上方に移動させる第一位置と、前記先端部を下方に移動させる第二位置との間で、前記支軸を中心に揺動自在な切替部材と、
前記切替部材を前記第一位置に保持するための弾性力を付与する弾性部材と、
前記切替部材よりも上方に設けられ、前記遊技領域を流下する遊技球が入球可能な入球口と、
前記入球口に入球した遊技球が流下可能な流路であって、当該遊技球を前記切替部材に供給する第一流路と、
前記切替部材の前記先端部に設けられ、前記第一流路から供給された遊技球が進入可能な凹部と、前記凹部の内部に進入した遊技球が旋回可能な凹面と、前記凹部の底部に形成され、前記凹面に沿って前記底部まで移動した遊技球を外部に排出する排出口とを有するクルーンとを備え、
前記切替部材は、前記切替部材に遊技球が供給されていない場合、前記弾性部材の弾性力によって前記第一位置に保持される一方、前記切替部材に遊技球が供給された場合、前記弾性部材の弾性力に抗って、当該遊技球の荷重によって前記第一位置から前記第二位置に変位することを特徴とする遊技部材。
【請求項２】
前記第一流路の下流側に連通する分岐部から異なる方向に分岐する遊技球の流路である第二流路および第三流路を備え、
前記切替部材は、前記分岐部に設けられ、
前記排出口は、前記凹面の下端部まで移動した遊技球を、前記第二流路に向けて排出し、
前記切替部材は、
前記切替部材が前記第一位置にある場合に、前記第一流路から供給された遊技球を受けて、当該遊技球を前記クルーンの前記凹部に案内する第一案内部と、
前記切替部材が前記第二位置にある場合に、前記第一流路から供給された遊技球を受けて、当該遊技球を前記第三流路に案内する第二案内部とを有することを特徴とする請求項１に記載の遊技部材。
【請求項３】
前記第二流路は、前記第一案内部によって案内された遊技球を、入賞口に入賞可能な位置に排出し、
前記第三流路は、前記第一案内部によって案内された遊技球を、前記入賞口と同じ又は異なる入賞口に入賞可能な位置に排出し、
前記第三流路から排出される遊技球のうちで前記入賞口に入賞する遊技球の割合は、前記第二流路から排出される遊技球のうちで前記入賞口に入賞する遊技球の割合よりも高いことを特徴とする請求項２に記載の遊技部材。
【請求項４】
請求項１から３のいずれかに記載の遊技部材を備えた遊技機。
【発明の詳細な説明】
【技術分野】
【０００１】
本発明は、遊技球の流下方向を変化させる遊技部材、および当該遊技部材を備えた遊技機に関する。
【０００２】
従来、遊技球の流下方向を変換させる流下方向変換部材を備えたパチンコ機が知られている（例えば、特許文献１参照）。特許文献１に開示のパチンコ機は、支軸を介して揺動可能なパイプ本体を有する所謂獅子脅し型の流下方向変換部材を備えている。パイプ本体は、開口部から導入された遊技球を所定数停留する遊技球停留部を有する。常態においては、パイプ本体の開口部側が上方に位置される。パイプ本体の開口部から導入された遊技球が遊技球停留部に所定数停留されると、パイプ本体の開口部側が下方に回動し、停留された遊技球が再度遊技領域に放出される。
【先行技術文献】
【特許文献】
【０００３】
【特許文献１】特許第４５３０６５９号公報
【発明の概要】
【発明が解決しようとする課題】
【０００４】
上記のような所謂獅子脅し型の流下方向変換部材では、パイプ本体の開口部側が下方に回動した場合に、遊技球の流下方向が変化する。しかしながら、このような所謂獅子脅し型の流下方向変換部材では、パイプ本体の開口部側が下方に回動している時間が短いために、遊技者が遊技球の流下方向の変化を把握できない場合があった。
【０００５】
本発明は、遊技部材で行われる遊技球の流下方向の変化を、遊技者が確実に把握できる遊技部材および当該遊技部材を備えた遊技機を提供することを目的とする。
【課題を解決するための手段】
【０００６】
本発明の一態様に係る遊技部材は、遊技機の遊技盤の前面に設けられた遊技領域を流下する遊技球の流下方向を変化させる遊技部材であって、前後方向に延びる支軸に対して直交する方向に延び、当該支軸から離間する方向の端部である先端部を上方に移動させる第一位置と、前記先端部を下方に移動させる第二位置との間で、前記支軸を中心に揺動自在な切替部材と、前記切替部材を前記第一位置に保持するための弾性力を付与する弾性部材と、前記切替部材よりも上方に設けられ、前記遊技領域を流下する遊技球が入球可能な入球口と、前記入球口に入球した遊技球が流下可能な流路であって、当該遊技球を前記切替部材に供給する第一流路と、前記切替部材の前記先端部に設けられ、前記第一流路から供給された遊技球が進入可能な凹部と、前記凹部の内部に進入した遊技球が旋回可能な凹面と、前記凹部の底部に形成され、前記凹面に沿って前記底部まで移動した遊技球を外部に排出する排出口とを有するクルーンとを備え、前記切替部材は、前記切替部材に遊技球が供給されていない場合、前記弾性部材の弾性力によって前記第一位置に保持される一方、前記切替部材に遊技球が供給された場合、前記弾性部材の弾性力に抗って、当該遊技球の荷重によって前記第一位置から前記第二位置に変位することを特徴とする。
【０００７】
上記遊技部材によれば、入球口に入球した遊技球は、第一流路によって切替部材に供給される。切替部材は、先端部が上方に移動する第一位置と、先端部が下方に移動する第二位置との間で揺動自在である。第一流路から供給された遊技球は、切替部材の先端部に設けられたクルーンの凹部に進入し、凹部の内部に設けられた凹面に沿って旋回し、凹部の底部に設けられた排出口から外部に排出される。切替部材に遊技球が供給されていない場合、切替部材は弾性力によって第一位置に保持される。一方、切替部材に遊技球が供給された場合、切替部材は弾性力に抗って、当該遊技球の荷重によって第二位置に変位する。
【０００８】
したがって、遊技球が切替部材に供給されてから、当該遊技球がクルーンから排出されるまでの期間は、切替部材は第二位置に変位する。クルーンでは遊技球が旋回した状態で所定時間保持されるため、切替部材に供給された遊技球がクルーンから排出されるまでの期間を長くすることができる。その結果、切替部材が第二位置に変位している期間を長くすることができ、遊技者は遊技部材で行われる遊技球の流下方向の変化を確実に把握することができる。
【０００９】
前記第一流路の下流側に連通する分岐部から異なる方向に分岐する遊技球の流路である第二流路および第三流路を備え、前記切替部材は、前記分岐部に設けられ、前記排出口は、前記凹面の下端部まで移動した遊技球を、前記第二流路に向けて排出し、前記切替部材は、前記切替部材が前記第一位置にある場合に、前記第一流路から供給された遊技球を受けて、当該遊技球を前記クルーンの前記凹部に案内する第一案内部と、前記切替部材が前記第二位置にある場合に、前記第一流路から供給された遊技球を受けて、当該遊技球を前記第三流路に案内する第二案内部とを有してもよい。
【００１０】
この場合、切替部材は、第一流路の下流側に連通する分岐部に設けられる。分岐部から異なる方向に、第二流路および第三流路が分岐している。切替部材が第一位置にある場合、切替部材に供給された遊技球は第一案内部によってクルーンの凹部に案内され、第二流路に向けて排出される。一方、切替部材が第二位置にある場合、切替部材に供給された遊技球は第三流路に案内される。したがって、切替部材に供給される遊技球は、切替部材の揺動位置に応じた異なる流路に振り分けられる。その結果、遊技球の流下方向の変化を簡易な構成で変化させることができる。
【００１１】
前記第二流路は、前記第一案内部によって案内された遊技球を、入賞口に入賞可能な位置に排出し、前記第三流路は、前記第一案内部によって案内された遊技球を、前記入賞口と同じ又は異なる入賞口に入賞可能な位置に排出し、前記第三流路から排出される遊技球のうちで前記入賞口に入賞する遊技球の割合は、前記第二流路から排出される遊技球のうちで前記入賞口に入賞する遊技球の割合よりも高くてもよい。
【００１２】
この場合、第三流路から排出される遊技球のほうが、第二流路から排出される遊技球よりも入賞する割合が高い。したがって遊技者は、切替部材を第二位置に変位させるため、および第二位置に変位した切替部材に遊技球を供給するため、入球口を狙って遊技球を打ち出す。これにより、遊技者の遊技意欲を高めることができる。
【００１３】
前記遊技部材を備えた遊技機でもよい。この場合、上記の作用効果を奏する遊技機を提供することができる。
【図面の簡単な説明】
【００１４】
【図１】パチンコ機１の正面図である。
【図２】遊技盤２の正面図である。
【図３】センター役物６０の正面図である。
【図４】第一位置にある切替部材１００およびその周辺の拡大斜視図である。
【図５】回転役物２００およびその周辺の拡大斜視図である。
【図６】切替部材１００が第一位置にある、センター役物６０の上側部分の拡大正面図である。
【図７】切替部材１００が第二位置にある、センター役物６０の上側部分の拡大正面図である。
【図８】第二位置にある切替部材１００およびその周辺の拡大斜視図である。
【図９】切替部材１００が第二位置にある、センター役物６０の上側部分の拡大正面図である。
【図１０】切替部材１００が第一位置にある、センター役物６０の上側部分の拡大正面図である。
【発明を実施するための形態】
【００１５】
本発明に係る遊技機の一実施形態であるパチンコ機１について、図面を参照して説明する。以下の説明では、図１および図２の手前側、奥側、上側、下側、左側、右側を、それぞれ、パチンコ機１の前側（正面側）、後側（背面側）、上側、下側、左側、右側とする。
【００１６】
図１および図２を参照して、パチンコ機１の概略構成を説明する。パチンコ機１には、遊技盤２が設けられている。遊技盤２は、正面視略正方形の板状であり、透明なガラス板を保持した前面枠１３によって前面を保護されている。遊技盤２の下部には上皿５が設けられている。上皿５は、発射機（図示外）に金属製の遊技球５０（図５参照）を供給し、且つ賞品球を受ける。上皿５の上部中央には、遊技者によって操作される操作ボタン９が設けられている。上皿５の直下には、賞品球を受ける下皿１０が設けられている。下皿１０の右横には、遊技球５０の発射を調整する発射ハンドル１１が設けられている。前面枠１３の上部の左右の角には、スピーカ４８がそれぞれ設けられている。
【００１７】
遊技盤２の前面には、ガイドレール３で囲まれた略円形の遊技領域４が形成されている。発射機によって発射された遊技球５０は、遊技領域４内を流下する。遊技領域４の略中央には、ＬＣＤ（液晶ディスプレイ）等で構成される画像表示装置２８が設けられている。画像表示装置２８は、動画等の様々な映像を表示可能な表示面２８Ａを有する。画像表示装置２８は、大当たり判定の結果を報知するためのデモ図柄を表示する。パチンコ機１は、複数（本実施形態では３つ）のデモ図柄を変動させた後に、大当たり判定の結果を示すデモ図柄の組合せを確定表示させる報知演出を実行することで、大当たり判定の結果を遊技者に報知する。
【００１８】
遊技領域４の中央部には、画像表示装置２８の表示面２８Ａを取り囲むように、正面視円形状の遊技部材であるセンター役物６０が取り付けられる。センター役物６０の上端部には上方に開口した飛込口８０が設けられ、下端部には第一始動口１６が設けられる。したがって、パチンコ機１の組立時には、センター役物６０を遊技盤２の中央部に組み付けることで、遊技領域４内に飛込口８０および第一始動口１６を設けることができる。
【００１９】
センター役物６０の右方には普通図柄始動ゲート１２が設けられ、下方には第二始動口７５が設けられる。普通図柄始動ゲート１２の下方には第一大入賞口１８、第二大入賞口１９が上下方向に並んで設けられる。第二始動口７５の下方であって、遊技領域４の中央下端部には下側アウト口８が設けられている。第一始動口１６、第二始動口７５、第一大入賞口１８、または第二大入賞口１９等に入球せずに、遊技領域４の下側まで流下する遊技球５０は、下側アウト口８によって回収され、遊技盤２外に排出される。
【００２０】
図２および図３を参照し、センター役物６０の詳細構造を説明する。センター役物６０は、正面視環状の外周壁６００を有する。外周壁６００で囲まれた内側領域の略中心部には、画像表示装置２８の表示面２８Ａを前方に露出させる表示用開口６０Ａが設けられている。さらに、センター役物６０の内側領域には、遊技球５０が移動可能な流路として、飛込口８０から下方に延びる第一流路６４と、第一流路６４の下流側に連通する分岐部６５と、分岐部６５から互いに異なる方向に分岐する第二流路６６および第三流路６７とが設けられている。
【００２１】
第一流路６４、第二流路６６および第三流路６７は、透明部材で構成されている。したがって、第一流路６４、第二流路６６および第三流路６７を流れる遊技球５０を、遊技者は前方から目視可能である。なお、図２および図３では、各図面を見やすくするために、第一流路６４、第二流路６６および第三流路６７を点線で示している（図１、図６、図７、図９、図１０も同様）。
【００２２】
第一流路６４は、飛込口８０からやや右側に湾曲するように下方に延びる。第一流路６４の下端部には、旋回部６４Ａが設けられる。旋回部６４Ａは、自身に進入した遊技球５０が上下方向を中心に旋回可能な内周面を有する。第一流路６４の下流側端部は、旋回部６４Ａの下端部に形成された開口を介して、表示用開口６０Ａの上方に設けられた分岐部６５に連通している。
【００２３】
分岐部６５の内部には、遊技領域４を流下する遊技球５０の流下方向を変化させる遊技部材である切替部材１００が設けられている。切替部材１００は、旋回部６４Ａから供給された遊技球５０を、第二流路６６および第三流路６７のいずれに振り分けるが、詳細は後述する。
【００２４】
第二流路６６は、分岐部６５から左下方向に延び、さらに表示用開口６０Ａの左側を下方に延びる。第二流路６６の下端部には、遊技球５０を後述の回転役物２００に向けて排出する排出口６６Ａ（図５参照）が設けられている。第三流路６７は、分岐部６５から右下方向に延び、さらに表示用開口６０Ａの右側を螺旋状に下方に延びる。第三流路６７の下端部には、遊技球５０を後述の回転役物２００に向けて排出する排出口６７Ａ（図５参照）が設けられている。
【００２５】
表示用開口６０Ａの右側には、遊技球５０を１球だけ内部に貯留可能な貯留装置６８が設けられている。第三流路６７は、その螺旋状の流路の途中で、貯留装置６８に接続されている。貯留装置６８の内部に遊技球５０が貯留されていない場合、貯留装置６８は第三流路６７を流れる遊技球５０を１球だけ捕捉して自身の内部に貯留する。一方、貯留装置６８の内部に遊技球５０が貯留されている場合、第三流路６７を流れる遊技球５０は、貯留装置６８に捕捉されることなく排出口６７Ａまで移動する。
【００２６】
貯留装置６８は、内部に貯留解除ソレノイド（図示外）を備える。貯留装置６８の内部に遊技球５０が貯留されている状態で貯留解除ソレノイドが作動すると、遊技球５０は貯留が解除される。センター役物６０における表示用開口６０Ａの左側上方には、タッチセンサ７０が設けられている。遊技者がタッチセンサ７０に手をかざすことで、貯留装置６８の貯留解除ソレノイドが作動する。貯留装置６８で貯留が解除された遊技球５０は、貯留装置６８の下端部に設けられた排出口６８Ａ（図５参照）から排出されて、後述の回転役物２００に向けて移動する。
【００２７】
外周壁６００は、上端部にある飛込口８０の左右両端から円周方向に沿って、下端部にある第一始動口１６近傍まで形成される。外周壁６００は、飛込口８０に対して左右一対に設けられた右側案内部材６１と左側案内部材６２とを含む。右側案内部材６１は、飛込口８０の右端から遊技盤２の下側に向かって円弧状に傾斜する遊技球５０の転動面を有する。左側案内部材６２は、飛込口８０の左端から遊技盤２の下側に向かって円弧状に傾斜する遊技球５０の転動面を有する。右側案内部材６１および左側案内部材６２は、飛込口８０への入球に失敗した遊技球５０を、センター役物６０の左右両側から遊技盤２の下側へと案内する。
【００２８】
右側案内部材６１には、右側アウト口７１が設けられている。複数の遊技球５０が右側案内部材６１の転動面上で滞留し積み上がる状態（所謂、ブドウ状態）を形成した場合に、ブドウ状態を形成する遊技球５０を回収する。左側案内部材６２には、左側アウト口７２が設けられている。複数の遊技球５０が左側案内部材６２の転動面上でブドウ状態を形成した場合に、ブドウ状態を形成する遊技球５０を回収する。
【００２９】
図３および図４を参照し、切替部材１００の詳細構造を説明する。切替部材１００は、分岐部６５内で支軸１００Ａを中心に揺動自在に設けられた可動体である。切替部材１００は透明部材で構成されているため、切替部材１００に供給された遊技球５０の挙動を、遊技者が前方から目視可能である。支軸１００Ａは、分岐部６５における旋回部６４Ａの直下で前後方向に延び、切替部材１００の一端部（図３では右端部）を支持する。切替部材１００は、支軸１００Ａに対して直交するように第二流路６６側（図３では左方向）に延びる。
【００３０】
切替部材１００のうち、支軸１００Ａから離間する方向の端部（図３では左上方向の端部）は、先端部１０１である。切替部材１００は、先端部１０１を上方に移動させる第一位置（図３および図４参照）と、先端部１０１を下方に移動させる第二位置（図７および図８参照）との間で揺動可能である。なお、支軸１００Ａには、切替部材１００を第一位置に保持するための弾性力を付与する弾性部材（図示外）が設けられている。
【００３１】
切替部材１００の先端部１０１には、遊技球５０を旋回させた状態で所定時間保持可能なクルーン１０２が設けられている。クルーン１０２は、遊技球５０が上方から進入可能な凹部１２１を有する。凹部１２１は、遊技球５０が転動可能な内部空間を有する略半球状である。詳細には、凹部１２１は、正面視で支軸１００Ａを中心とした時計回り方向（図３では右上方向）に向けて開口径が大きくなり、凹部１２１の最大開口径は遊技球５０の直径の約２〜３倍である。
【００３２】
凹部１２１の内壁は、凹部１２１の内部に進入した遊技球５０が旋回可能な凹面１２２を形成する。凹部１２１の底部（支軸１００Ａを中心とした反時計回り方向の端部）には、遊技球５０と略同径の排出口１２３が形成されている。排出口１２３は、凹部１２１の底部まで移動した遊技球５０を、凹部１２１の下側に排出する。
【００３３】
クルーン１０２と支軸１００Ａとの間には、正面視でＵの字型をなす遊技球５０の転動面である第一案内部１０３が設けられている。第一案内部１０３は、正面視で支軸１００Ａを中心とした反時計回り方向（図３では下方向）に向けて凹むように湾曲している。第一案内部１０３の先端部１０１側の端部（図３では左上方向の端部）は、クルーン１０２に接続されている。
【００３４】
切替部材１００の支軸１００Ａ側の端部（図３では右下方向の端部）には、正面視で緩やかに湾曲した遊技球５０の転動面である第二案内部１０４が設けられている。第二案内部１０４は、一端部が支軸１００Ａに接続し、且つ、支軸１００Ａから離間する方向（図３では上方向）に延びる壁部である。第二案内部１０４の他端部（図３では上端部）が、第一案内部１０３の支軸１００Ａ側の端部（図３では右端部）に接続されている。
【００３５】
本実施形態では、切替部材１００に遊技球５０が供給されていない場合、切替部材１００は弾性部材（図示外）の弾性力によって第一位置に保持される。一方、切替部材１００に遊技球５０が供給された場合、切替部材１００は弾性部材の弾性力に抗って、当該遊技球５０の荷重によって第一位置から第二位置に変位する。かかる動作の詳細は、別途後述する。
【００３６】
図５を参照し、回転役物２００の詳細構造を説明する。センター役物６０の内側領域には、飛込口８０に入球した遊技球５０が転動可能なステージ６３が設けられている。ステージ６３は、表示用開口６０Ａの直下に設けられた、略前後方向に延びる面部である。ステージ６３の左端部には、第二流路６６の排出口６６Ａが形成されている。ステージ６３の右端部には、第三流路６７の排出口６７Ａおよび貯留装置６８の排出口６８Ａが形成されている。貯留装置６８の排出口６８Ａは、第三流路６７の排出口６７Ａよりも前側に位置する。
【００３７】
ステージ６３の略中央部には、排出口６６Ａ,６７Ａ,６８Ａよりも低い位置に、平面視で略円形状の凹部である振分部８１が形成されている。振分部８１の底部中央には、回転役物２００の振分面２１０が配置されている。回転役物２００は、図示外のモータによって、振分面２１０を上下方向に延びる軸２００Ａを中心に回転させる。振分面２１０には、上下方向に貫通する８つの穴が、平面視で軸２００Ａを中心に均等間隔で形成されている。これら８つの穴は、軸２００Ａを挟んで配置された２つのチャンス穴２１１と、残り６つのハズレ穴２１２とで構成される。
【００３８】
第二流路６６の排出口６６Ａから排出された遊技球５０は、排出口６６Ａから右後方に延びる案内路８２を経由して、振分部８１の内部に供給される。第三流路６７の排出口６７Ａから排出された遊技球５０は、排出口６７Ａから左後方に延びる案内路８３を経由して、振分部８１の内部に供給される。貯留装置６８の排出口６８Ａから排出された遊技球５０は、排出口６８Ａから左前方に延びる案内路８４を経由して、振分部８１の内部に供給される。
【００３９】
振分部８１の内部に供給された遊技球５０は、振分面２１０の外側を取り囲む円環状の転動面８１Ａを周回するように転動する。転動面８１Ａは、振分面２１０に向けて若干内側に傾斜しているため、遊技球５０は転動面８１Ａを周回したのち、回転する振分面２１０に向けて移動し、チャンス穴２１１またはハズレ穴２１２に落入する。チャンス穴２１１に落入した遊技球５０は、図示外の案内路を経由して第一始動口１６に入賞する。ハズレ穴２１２に落入した遊技球５０は、第一始動口１６の左右両側に設けられた排出路８４，８５の何れかを介して、センター役物６０の下側に排出される。
【００４０】
図３、図４、図６〜図１０を参照し、遊技球５０がセンター役物６０の内側領域を流下する態様を説明する。図６に示すように、飛込口８０へと入球した遊技球５０は、第一流路６４を流下して、旋回部６４Ａに進入する。旋回部６４Ａに進入した遊技球５０は、旋回部６４Ａの内周面に沿って旋回し、その旋回力が弱まると旋回部６４Ａから落下する。
【００４１】
図３および図４に示すように、切替部材１００に遊技球５０が供給されていない状態では、切替部材１００は弾性部材（図示外）の弾性力によって第一位置に保持される。切替部材１００が第一位置にある場合、クルーン１０２は支軸１００Ａよりも上方に移動し、且つ第一案内部１０３が旋回部６４Ａの直下に位置している。したがって、図６に示すように、旋回部６４Ａから落入した遊技球５０は、分岐部６５に進入して第一案内部１０３によって受けられる。
【００４２】
なお、切替部材１００が第一位置にある場合、支軸１００Ａから右上方向に延びた状態となる。この場合、第二案内部１０４は、旋回部６４Ａから落入した遊技球５０が第三流路６７に進入することを妨げる壁部として機能する。
【００４３】
図７および図８に示すように、第一案内部１０３によって受けられた遊技球５０の荷重によって、切替部材１００は弾性部材（図示外）の弾性力に抗って正面視で反時計周り方向に回転する。これにより、切替部材１００は、第一位置から第二位置に変位する。切替部材１００が第二位置にある場合、クルーン１０２は支軸１００Ａよりも下方に移動している。このとき、クルーン１０２の排出口１２３は、第二流路６６の直上に位置している。
【００４４】
切替部材１００が第一位置から第二位置に変位するのに伴って、遊技球５０は第一案内部１０３によって左下方向に案内され、クルーン１０２の凹部１２１に進入する。凹部１２１に進入した遊技球５０は、凹面１２２に沿って旋回し、その旋回力が弱まると排出口１２３から落下する。排出口１２３から落下した遊技球５０は、排出口１２３の直下に位置する第二流路６６に進入する。
【００４５】
図９に示すように、切替部材１００が第二位置にある場合、第二案内部１０４が旋回部６４Ａの直下に位置している。したがって、旋回部６４Ａから落入した遊技球５０は、分岐部６５に進入して第二案内部１０４によって受けられる。切替部材１００が第二位置にある場合、第二案内部１０４は右下方向に向けて緩やかに湾曲している。遊技球５０は、第二案内部１０４に沿って右下方向に案内され、第三流路６７に進入する。
【００４６】
図１０に示すように、遊技球５０が排出口１２３から落下すると、切替部材１００は再び遊技球５０が供給されていない状態に戻る。切替部材１００は、弾性部材（図示外）の弾性力によって、正面視で時計周り方向に回転する。これにより、切替部材１００は、第二位置から第一位置に復帰する。
【００４７】
先述したように、第二流路６６に進入した遊技球５０は、案内路８２を経由して振分部８１の内部に供給される。第三流路６７に進入した遊技球５０のうちで、貯留装置６８に貯留されなかった遊技球５０は、案内路８３を経由して振分部８１の内部に供給される。貯留装置６８に貯留された遊技球５０は、案内路８４を経由して振分部８１の内部に供給される。振分部８１の内部に進入した遊技球５０は、回転役物２００によってチャンス穴２１１またはハズレ穴２１２に振り分けられる（図５参照）。
【００４８】
本実施形態では、タッチセンサ７０に手がかざされることを契機として、貯留装置６８による遊技球５０の貯留が解除されて、当該遊技球５０が案内路８４を経由して振分部８１の内部に供給される。遊技者は、回転中の振分面２１０におけるチャンス穴２１１の位置を狙って、貯留装置６８で貯留されている遊技球５０を自由なタイミングで振分部８１に供給できる。したがって、第三流路６７から排出される遊技球５０のうちで第一始動口１６に入賞する遊技球５０の割合は、第二流路６６から排出される遊技球５０のうちで第一始動口１６に入賞する遊技球５０の割合よりも高くなる。
【００４９】
上記のセンター役物６０を備えたパチンコ機１では、切替部材１００を第二位置に変位させるため、および第二位置に変位した切替部材１００に遊技球５０を供給するため、遊技者は飛込口８０を狙って遊技球５０を打ち出す。これにより、貯留装置６８に遊技球５０を貯留し、タッチセンサ７０を用いてチャンス穴２１１への入賞を狙うことで、遊技者の遊技意欲を高めることができる。
【００５０】
以上説明したように、本実施形態によれば、飛込口８０に入球した遊技球５０は、第一流路６４によって切替部材１００に供給される。切替部材１００は、先端部１０１が上方に移動する第一位置と、先端部１０１が下方に移動する第二位置との間で揺動自在である。第一流路６４から供給された遊技球５０は、切替部材１００の先端部１０１に設けられたクルーン１０２の凹部１２１に進入し、凹部１２１の内部に設けられた凹面１２２に沿って旋回し、凹部１２１の底部に設けられた排出口１２３から外部に排出される。切替部材１００に遊技球５０が供給されていない場合、切替部材１００は弾性力によって第一位置に保持される。一方、切替部材１００に遊技球５０が供給された場合、切替部材１００は弾性力に抗って、当該遊技球５０の荷重によって第二位置に変位する。
【００５１】
したがって、遊技球５０が切替部材１００に供給されてから、当該遊技球５０がクルーン１０２から排出されるまでの期間は、切替部材１００は第二位置に変位する。クルーン１０２では遊技球５０が旋回した状態で所定時間保持されるため、切替部材１００に供給された遊技球５０がクルーン１０２から排出されるまでの期間を長くすることができる。その結果、切替部材１００が第二位置に変位している期間を長くすることができ、遊技者はセンター役物６０で行われる遊技球５０の流下方向の変化を確実に把握することができる。
【００５２】
切替部材１００は、第一流路６４の下流側に連通する分岐部６５に設けられる。分岐部６５から異なる方向に、第二流路６６および第三流路６７が分岐している。切替部材１００が第一位置にある場合、切替部材１００に供給された遊技球５０は第一案内部１０３によってクルーン１０２の凹部１２１に案内され、第二流路６６に向けて排出される。一方、切替部材１００が第二位置にある場合、切替部材１００に供給された遊技球５０は第三流路６７に案内される。つまり、切替部材１００に供給される遊技球５０は、切替部材１００の揺動位置に応じた異なる流路に振り分けられる。その結果、遊技球５０の流下方向の変化を簡易な構成で変化させることができる。
【００５３】
上記実施形態において、センター役物６０が本発明の「遊技部材」に相当する。飛込口８０が本発明の「入球口」に相当する。本発明は、以上詳述した実施の形態に限定されるものではなく、本発明の要旨を逸脱しない範囲内において種々の変更が可能であることは勿論である。
【００５４】
例えば、上記実施形態では、第二流路６６および第三流路６７は、同一の入賞口（第一始動口１６）に入賞可能な位置（ステージ６３）に、遊技球５０を排出している。これに代えて、第二流路６６および第三流路６７は、各々異なる入賞口に入賞可能な位置に、遊技球５０を排出してもよい。また、第二流路６６および第三流路６７は、入賞口とは異なる部位に向けて、遊技球５０を排出してもよい。
【００５５】
さらに、切替部材１００は、遊技球５０を第二流路６６および第三流路６７のいずれかに振り分けるものに限定されず、遊技領域４を流下する遊技球５０の流下方向を変化させるものであればよい。例えば、切替部材１００は、飛込口８０に入球した遊技球５０が供給された場合に、第一位置から第二位置に変位して当該遊技球５０をクルーン１０２から排出することで、遊技球５０の流下方向を変化させるものでもよい。
【符号の説明】
【００５６】
１    パチンコ機
２    遊技盤
４    遊技領域
１６    第一始動口
５０    遊技球
６０    センター役物
６４    第一流路
６５    分岐部
６６    第二流路
６７    第三流路
８０    飛込口
１００    切替部材
１００Ａ    支軸
１０１    先端部
１０２    クルーン
１０３    第一案内部
１０４    第二案内部
１２１    凹部
１２２    凹面
１２３    排出口
【図１】
2014161397.tif 000003
【図２】
2014161397.tif 000004
【図３】
2014161397.tif 000005
【図４】
2014161397.tif 000006
【図５】
2014161397.tif 000007
【図６】
2014161397.tif 000008
【図７】
2014161397.tif 000009
【図８】
2014161397.tif 000010
【図９】
2014161397.tif 000011
【図１０】
2014161397.tif 000012